(57)【要約】【課題】利用者に適した運動レシピを提供するとともに、利用者に、提供された運動レシピに従った運動を行わせる。【解決手段】利用者が携帯し、利用者のライフバロメータと利用者の位置情報とを取得する携帯端末と、利用者に装着されライフバロメータを測定し、ライフバロメータを携帯端末に提供する測定手段とを備える。さらに、所望の情報を管理する情報管理手段を備える。さらに、携帯端末からライフバロメータと位置情報を取得し、情報管理手段から所望の情報を取得し、ライフバロメータと位置情報と所望の情報とに基づいて運動レシピを設定し、運動レシピを携帯端末に配信する運動支援手段を備える。さらに、携帯端末もしくは運動支援手段は、利用者が運動レシピに適合した運動を行っているか否かを判定し、適合した運動ではない場合、携帯端末は前記利用者に通知を行う。【選択図】      図２
2015123156.tif 000002
【特許請求の範囲】
【請求項１】
利用者が携帯し、前記利用者のライフバロメータと前記利用者の位置情報とを取得する携帯端末と、
前記利用者に装着され、前記ライフバロメータを測定し、前記ライフバロメータを前記携帯端末に提供する測定手段と、
所望の情報を管理する情報管理手段と、
前記携帯端末から前記ライフバロメータと前記位置情報を取得し、前記情報管理手段から前記所望の情報を取得し、前記ライフバロメータと前記位置情報と前記所望の情報とに基づいて運動レシピを設定し、前記運動レシピを前記携帯端末に配信する運動支援手段と、を備え、
前記携帯端末もしくは前記運動支援手段は、前記利用者が前記運動レシピに適合した運動を行っているか否かを判定し、
前記適合した運動ではない場合、前記携帯端末は、前記利用者に通知を行う、
運動支援システム。
【請求項２】
前記通知は、音もしくは振動により行われる、請求項１記載の運動支援システム。
【請求項３】
前記所望の情報は、前記利用者の過去のライフバロメータもしくは地図情報もしくは気象情報を有する、請求項１または２記載の運動支援システム。
【請求項４】
前記地図情報もしくは前記気象情報は、前記位置情報に基づく、請求項３記載の運動支援システム。
【請求項５】
前記運動支援手段は、前記ライフバロメータもしくは前記地図情報もしくは前記気象情報に基づいて、前記ライブバロメータの閾値を設定し、前記閾値に基づいて前記運動レシピを設定する、請求項３または４記載の運動支援システム。
【請求項６】
前記運動支援手段は、運動中の前記利用者の前記ライフバロメータに基づいて、前記運動中に前記運動レシピを更新する、請求項１から５の内の１項記載の運動支援システム。
【請求項７】
利用者のライフバロメータと、前記利用者の位置情報と、前記位置情報に基づく地図情報と気象情報と、に基づいて運動レシピを設定し、
前記利用者が前記レシピに適合した運動を行っているか否かを判定し、
前記適合した運動ではない場合、前記利用者に通知を行う、運動支援方法。
【請求項８】
前記通知は、音もしくは振動により行われる、請求項７記載の運動支援方法。
【請求項９】
前記運動レシピは、前記ライフバロメータもしくは前記地図情報もしくは前記気象情報に基づいて設定された前記ライブバロメータの閾値に基づいて設定される、請求項７または８記載の運動支援方法。
【請求項１０】
前記運動レシピは、運動中の前記利用者の前記ライフバロメータに基づいて、前記運動中に更新される、請求項７から９の内の１項記載の運動支援方法。
【発明の詳細な説明】
【技術分野】
【０００１】
本発明は、ランニングなどの運動を行う利用者に、適切な走行速度などの運動レシピを提供する運動支援システムに関する。
【背景技術】
【０００２】
ランニングなどの運動を行う利用者が、自身の個人データや体調、運動の目的、気象条件等に応じて、適切な運動レシピにより運動を行えるようにする運動支援システムが開発されている。
【０００３】
特許文献１には、以下の様な運動支援システムが開示されている。すなわち、利用者にその生体データを検出するセンサユニットを装着させると共に、携帯端末を所持させる。そして、管理装置において、利用者の個人データ、生体データ、運動目的、気象条件を表すデータを分析し、その分析結果をもとに利用者に適する運動レシピを作成して携帯端末に配信し利用者に提示する。また、運動中に刻々と変化する利用者の生体データを携帯端末から管理装置へ送り、この運動中の利用者の生体データをもとに運動レシピを修正する。この修正された運動レシピを携帯端末に配信し、利用者に提示する運動レシピを更新するようにしている。
【先行技術文献】
【特許文献】
【０００４】
【特許文献１】特開２００６−２６３００２号公報
【発明の概要】
【発明が解決しようとする課題】
【０００５】
しかしながら、特許文献１に開示された技術には以下の課題があった。すなわち、利用者の携帯端末に配信された運動レシピが、利用者が気づかない、あるいは気づいていても無視するなどの原因により実行されず、せっかく配信された運動レシピが役に立たないという問題が生じていた。
【０００６】
本発明は、上記の課題に鑑みてなされたものであり、その目的は、利用者に適した運動レシピをリアルタイムに提供するとともに、利用者に、提供された運動レシピに従った運動を行わせる運動支援システムおよび運動支援方法を提供することにある。
【課題を解決するための手段】
【０００７】
本発明による運動支援システムは、利用者が携帯し、前記利用者のライフバロメータと前記利用者の位置情報とを取得する携帯端末と、前記利用者に装着され、前記ライフバロメータを測定し、前記ライフバロメータを前記携帯端末に提供する測定手段と、所望の情報を管理する情報管理手段と、前記携帯端末から前記ライフバロメータと前記位置情報を取得し、前記情報管理手段から前記所望の情報を取得し、前記ライフバロメータと前記位置情報と前記所望の情報とに基づいて運動レシピを設定し、前記運動レシピを前記携帯端末に配信する運動支援手段と、を備え、前記携帯端末もしくは前記運動支援手段は、前記利用者が前記運動レシピに適合した運動を行っているか否かを判定し、前記適合した運動ではない場合、前記携帯端末は、前記利用者に通知を行う。
【０００８】
本発明による運動支援方法は、利用者のライフバロメータと、前記利用者の位置情報と、前記位置情報に基づく地図情報と気象情報と、に基づいて運動レシピを設定し、前記利用者が前記レシピに適合した運動を行っているか否かを判定し、前記適合した運動ではない場合、前記利用者に通知を行う。
【発明の効果】
【０００９】
本発明によれば、利用者に適した運動レシピをリアルタイムに提供するとともに、利用者に、提供された運動レシピに従った運動を行わせる運動支援システムおよび運動支援方法が実現する。
【図面の簡単な説明】
【００１０】
【図１】本発明の第１の実施形態の運動支援システムの構成を示すブロック図である。
【図２】本発明の第２の実施形態の運動支援システムの構成を示すブロック図である。
【図３】本発明の第２の実施形態の運動支援システムの測定手段の構成を示すブロック図である。
【図４】本発明の第２の実施形態の運動支援システムの移動端末の通知部の構成を示すブロック図である。
【図５】本発明の第２の実施形態の運動支援システムの情報管理手段の気象情報取得部の構成を示すブロック図である。
【図６】本発明の第２の実施形態の運動支援システムの動作を示すフローチャートである。
【図７】本発明の第２の実施形態の運動支援システムが運動レシピを設定する例を示す図である。
【図８】本発明の第２の実施形態の運動支援システムが運動レシピを設定する例を示す図である。
【発明を実施するための形態】
【００１１】
以下、図を参照しながら、本発明の実施形態を詳細に説明する。但し、以下に述べる実施形態には、本発明を実施するために技術的に好ましい限定がされているが、発明の範囲を以下に限定するものではない。
（第１の実施形態）
図１は、本発明の第１の実施形態の運動支援システムの構成を示すブロック図である。運動支援システム１は、利用者が携帯し、利用者のライフバロメータと利用者の位置情報とを取得する携帯端末２と、利用者に装着され、ライフバロメータを測定し、ライフバロメータを携帯端末２に提供する測定手段３とを備える。さらに、所望の情報を管理する情報管理手段５を備える。さらに、携帯端末２からライフバロメータと位置情報を取得し、情報管理手段５から所望の情報を取得し、ライフバロメータと位置情報と所望の情報とに基づいて運動レシピを設定し、運動レシピを携帯端末２に配信する運動支援手段４を備える。さらに、携帯端末２もしくは運動支援手段４は、利用者が運動レシピに適合した運動を行っているか否かを判定し、適合した運動ではない場合、携帯端末２は前記利用者に通知を行う。
【００１２】
本実施形態によれば、利用者に適した運動レシピをリアルタイムに提供するとともに、利用者に、提供された運動レシピに従った運動を行わせる運動支援システムが実現する。
（第２の実施形態）
（構成の説明）
図２は、本発明の第２の実施形態の運動支援システムの構成を示すブロック図である。本実施形態の運動支援システム１０は、ランニングなどの運動をする利用者が携帯する移動端末２０と、利用者に装着し、利用者の生体データであるライフバロメータを測定する測定手段３０と、移動端末２０に運動の仕方である運動レシピを提供する運動支援手段４０と、運動支援手段４０が運動レシピを決定するための所望の情報を提供する情報管理手段５０とを備える。
【００１３】
移動端末２０は、ライフバロメータ情報取得部２１、位置情報取得部２２、条件設定部２３、通信部２４、表示部２５、通知部２６、制御部２９を備える。
【００１４】
ライフバロメータ情報取得部２１は、測定手段３０で測定される利用者のライフバロメータである、心拍数や発汗量や血圧や体温や呼吸数などのライフバロメータ情報を取得する。
【００１５】
図３は、測定手段３０の構成を示すブロック図である。測定手段３０は、心拍センサ３１、発汗センサ３２、血圧センサ３３、体温センサ３４、呼吸センサ３５、通信部３６、制御部３７を備える。また、体内水分量や筋肉疲労度など、その他のライフバロメータを測定するセンサを備えることもできる（図３中に記載なし）。
【００１６】
測定手段３０は、運動する利用者の体に装着することにより、利用者のライフバロメータ情報である心拍数や発汗量や血圧や体温などの測定を行う。測定手段３０によって測定されたライフバロメータ情報は、通信部３６から無線あるいは有線により、移動端末２０のライフバロメータ情報取得部２１に送信される。測定手段３０は、定期的に、もしくは、ライフバロメータ情報取得部２１からの指示を受けた制御部３７の指示により、ライフバロメータを測定し、測定したライフバロメータをライフバロメータ情報取得部２１に送信する。
【００１７】
位置情報取得部２２は、人工衛星６０によるグローバル・ポジショニング・システム（Ｇｌｏｂａｌ  Ｐｏｓｉｔｉｏｎｉｎｇ  Ｓｙｓｔｅｍ、ＧＰＳと略す）により、移動端末２０の位置を特定する情報を取得する。位置情報取得部２２は、定期的に、もしくは、位置情報取得の指示を受けて、もしくは、ライフバロメータ情報取得に連動して、位置情報を取得する。
【００１８】
条件設定部２３は、運動に関する条件を入力し設定する。例えば、ランニングを行う場合、ハードなトレーニングなのか軽い運動なのかといったランニングの目的や、走行する距離や制限時間などを設定することができる。運動に関する条件の入力は、条件設定部２３の有するキーボタンや、表示部２５の有するタッチパネルに表示される条件設定部２３に連動したキーにより、行うことができる。
【００１９】
通信部２４は、ライフバロメータ情報や位置情報や運動に関する設定条件を、携帯電話やインターネットなどの通信ネットワークを介して、運動支援手段４０に送信する。また、運動支援手段４０から、運動レシピを受信する。
【００２０】
表示部２５は、条件設定部２３に入力を行うためのキー画面の表示や、運動支援手段４０から送信された運動レシピの表示を行う。表示部２５は、タッチパネルを有することができる。
【００２１】
通知部２６は、運動支援手段４０から送信された運動レシピに対して、利用者の実際の運動の内容が合っているか否かを、利用者に通知する。図４は、通知部２６の構成を示すブロック図である。通知部２６は、発音部２７と振動部２８を有し、アラームや音声などの発音や振動によって、利用者に通知することができる。例えば、利用者の運動の内容が運動レシピに合っていない場合は、アラームや振動を発し続け、合っている場合は中止する、などの方法が可能である。
【００２２】
制御部２９は、移動端末２０の各部の動作や連携の制御を行う。
【００２３】
運動支援手段４０は、移動端末２０と情報管理手段５０との情報の送受信を行う通信部４１と、移動端末２０と情報管理手段５０とから得た情報に基づいて運動レシピを決定する分析部４２と、通信部４１と分析部４２の動作や連携の制御を行う制御部４３とを備える。
【００２４】
通信部４１は、移動端末２０から、ライフバロメータ情報や位置情報や運動に関する設定条件を、携帯電話などの通信ネットワークを介して受信する。また、情報管理手段５０から、利用者の過去や運動する直前のライフバロメータ情報や個人データ、運動する場所の地図情報や気象情報を受信する。さらに、分析部４２で決定された運動レシピを、移動端末２０に送信する。さらに、携帯端末２０からの情報を、通信部４１が経由して、情報管理手段５０に送信することができる。
【００２５】
分析部４２は、移動端末２０から得た、ライフバロメータ情報や位置情報や運動に関する条件設定と、情報管理手段５０から得た、利用者の過去や運動する直前のライフバロメータ情報や個人データ、運動する場所の地図情報や気象情報とに基づいて、運動レシピを決定する。この時、分析部４２は、前記情報に基づいて、利用者のライフバロメータである心拍数や発汗量や血圧や体温などに関して、運動の開始や運動中での運動レシピの変更の必要の有無を判定するための閾値を求める。前記閾値と、運動の開始前や運動中に移動端末２０から送られて来るライフバロメータとに基づいて、運動の開始、運動レシピの変更、運動の中止などの判定を行う。
【００２６】
情報管理手段５０は、利用者の過去や運動する直前や運動中のライフバロメータ情報や個人データを保存し管理するライフバロメータ情報管理部５１と、ランニングなどの運動を行う場所の地図情報を保存し管理する地図情報管理部５２と、運動を行う場所の気象情報を保存し管理する気象情報管理部５３と、運動を行う場所の気象情報を取得する気象情報取得部５４と、情報管理手段５０の各部の動作や連携の制御を行う制御部５５とを備える。
【００２７】
ライフバロメータ情報管理部５１は、利用者の過去や運動する直前や運動中のライフバロメータ情報や個人データを保存し管理する。ライフバロメータ情報は、測定手段３０で測定された情報を、運動支援手段４０の通信部４１を介して得る。また、利用者の過去や運動する直前のライフバロメータ情報は、測定手段３０とは別の個別の心拍計や血圧計などによって測定し入力することもできる。ライフバロメータ情報管理部５１は、また、利用者の個人データである性別、年齢、身長、体重、病歴、医療機関による診断内容などの情報を保存する。
【００２８】
地図情報管理部５２は、ランニングなどの運動を行う場所の地図情報を保存し管理する。地図情報は、個別に入力することも、インターネットを介した地図情報サイトから得ることもできる。地図情報は、道路の傾斜や高低などの地形の情報、アスファルトや土、砂利などの路面の情報、樹木による日陰の情報などを有する。
【００２９】
気象情報管理部５３は、運動を行う場所の気象情報を保存し管理する。気象情報は、運動を行う事前や運動中に、定期的に、もしくは、運動支援手段４０が携帯端末２０から位置情報やライフバロメータ情報を受信したことに連動して、気象情報取得部５４により取得する。
【００３０】
図５は、気象情報取得部５４の構成を示すブロック図である。気象情報取得部５４は、運動を行う場所もしくはその付近の気象情報を測定する気象センサ５４１を備える。気象センサ５４１は、温度センサ５４２、湿度センサ５４３、紫外線（ＵＶ）センサ５４４、降水センサ５４５、風センサ５４６などと、通信部５４７とを備える。
【００３１】
気象センサ５４１は、情報管理手段５０の本体から離れた屋外などに設置し、通信部５４７により無線あるいは有線によって、気象情報管理部５３に気象情報を送信する。また、気象センサ５４１は、一ヵ所以上の場所に設けることができる。
【００３２】
気象情報取得部５４は、また、インターネットを介した気象情報サイトから気象情報を取得する気象サイト情報取得部５４８を備えることができる。これにより、気象センサ５４１が故障した場合も、気象情報サイトから気象情報を取得することができる。
【００３３】
以上の、移動端末２０、測定手段３０、運動支援手段４０、情報管理手段５０は、以下の装置により実現することができる。
【００３４】
移動端末２０は、携帯電話やスマートフォンの、演算処理装置の計算資源、メモリの記憶資源、キーボタンやタッチパネルの入力資源、アンテナによる通信資源、ディスプレイによる表示資源、スピーカによる発音資源、振動子による振動資源を、プログラムにより動作させることによって実現することができる。
【００３５】
測定手段３０は、体に装着可能なそれぞれのセンサを、一体的に、もしくは、それぞれのセンサにとって好適な体の各部分に散在させて、装着する。心拍センサ３１や血圧センサ３３や呼吸センサ３５は、圧力を感知するセンサにより実現することができる。発汗センサ３２は湿度あるいは水分を感知するセンサにより実現することができる。体温センサ３４は温度を感知するセンサにより実現することができる。それぞれのセンサでの測定の実行や測定情報の送信は、無線通信あるいは有線通信による移動端末２０からの指示を受けた演算処理機能を有する制御部３７で制御することができる。
【００３６】
運動支援手段４０は、サーバ装置の中央演算処理装置（Ｃｅｎｔｒａｌ  Ｐｒｏｃｅｓｓｉｎｇ  Ｕｎｉｔ、ＣＰＵと略す）の計算資源、メモリやハードディスクなどの記憶装置の記憶資源、通信資源、キーボードやマウスなどの入力資源、ディスプレイなどの表示資源を、プログラムにより機能させることによって実現することができる。
【００３７】
情報管理手段５０は、サーバ装置のＣＰＵの計算資源、メモリやハードディスクなどの記憶装置の記憶資源、通信資源、キーボードやマウスなどの入力資源、ディスプレイなどの表示資源と、気象センサとを、プログラムにより機能させることによって実現することができる。
【００３８】
運動支援手段４０と情報管理手段５０とは、おのおの個別のサーバ装置とすることができる。また、一台のサーバ装置を共有することもできる。また、個別のサーバ装置とする場合は、インターネットなどの通信ネットワークを介して、お互いに情報の送受信を行うことができる。
【００３９】
また、ライフバロメータ情報管理部５１、地図情報管理部５２、および、気象情報取得部５４を併せた気象情報管理部５３は、おのおの個別のサーバ装置とすることもできる。
（動作の説明）
図６は、本実施形態の運動支援システム１０の動作を示すフローチャートである。図６を用いて運動支援システム１０の動作について、運動としてはランニングの場合を想定して、説明を行う。
【００４０】
利用者が運動支援システム１０の動作を開始すると、ステップＳ１０１で、利用者は、運動条件の設定を行う。すなわち、利用者は、携帯端末２０の条件設定部２３に対して、条件設定部２３の有するキーボタン、あるいは、表示部２５の有するタッチパネルに表示される条件設定部２３に連動したキーにより、運動条件を入力する。例えば、ランニングを行う場合、ハードなトレーニングなのか軽い運動なのかといったランニングの目的や、走行する距離や制限時間などを設定することができる。
【００４１】
ステップＳ１０２で、運動支援手段４０の分析部４２は、ステップＳ１０１を受けて、運動を行う際のライフバロメータの閾値の設定を行う。
【００４２】
ライフバロメータの閾値の設定に際しては、まず、利用者の運動開始前のライフバロメータの測定を行う。ライフバロメータの測定は、携帯端末２０のライフバロメータ情報取得部２１からの指示により、測定手段３０の心拍センサ３１、発汗センサ３２、血圧センサ３３、体温センサ３４、呼吸センサ３５などにより、心拍数、発汗量、血圧、体温、呼吸数などの測定を行う。
【００４３】
また、携帯端末２０の位置情報取得部２２にて、人工衛星６０のＧＰＳ機能により、利用者の位置情報を得る。位置情報は、ライフバロメータの測定に連動して得ることもできる。
【００４４】
得られたライフバロメータの測定結果、位置情報、および、ステップＳ１０１で設定した運動条件は、通信部２４から運動支援手段４０の通信部４１を介して、分析部４２に送信される。
【００４５】
さらに、情報管理手段５０のライフバロメータ管理部５１から、利用者の過去のライフバロメータ情報や個人データが、分析部４２に送信される。個人データは、性別、年齢、身長、体重、病歴、医療機関による診断内容などの情報を有する。
【００４６】
さらにまた、情報管理手段５０の地図情報管理部５２から、地図情報が分析部４２に送信される。地図情報は、利用者が運動を行う場所の地図情報であり、携帯端末２０の位置情報取得部２２で得られた位置情報に基づいた地図情報である。
【００４７】
さらにまた、情報管理手段５０の気象情報管理部５３から、気象情報が分析部４２に送信される。気象情報は、利用者が運動を行う場所の気象情報であり、携帯端末２０の位置情報取得部２２で得られた位置情報に基づいた気象情報である。気象情報は、気象情報取得部５４の気象センサ５４１の各種センサにより得ることができ、気温、湿度、紫外線（ＵＶ）、降水量、風速および風向などを有する。
【００４８】
運動支援手段４０の分析部４２は、上記の設定された運動条件、利用者の運動開始前と過去のライフバロメータや個人データ、運動を行う場所の地図情報と気象情報に基づいて、ライフバロメータの閾値の設定を行う。閾値は、ライフバロメータの上限値もしくは上限値から所定の量を差し引いた値、あるいは、下限値もしくは下限値から所定の量を加えた値、などとすることができる。
【００４９】
閾値の項目は、測定手段３０で測定される各種ライフバロメータの中から選択することができる。閾値はまた、運動の開始を判定するための閾値と、運動中に運動レシピ変更の必要の有無を判定するための閾値とを、それぞれ設定することができる。
【００５０】
例えば、ランニングを行う場合、軽い運動程度のランニングを目的とし、所望の走行距離を設定したとする。これに対して、利用者の運動開始前と過去のライフバロメータである心拍数、発汗量、血圧、体温、呼吸数のデータが提供される。また、個人情報である性別、年齢、身長、体重、病歴、医療機関による診断内容などの情報が提供される。また、運動を行う場所の地図情報として、舗装などの路面情報や高低差の情報や樹木による日陰の情報などが提供される。また、運動を行う場所の気象情報として、気温、湿度、紫外線、降水量、風速および風向などの情報が提供される。
【００５１】
例えば、心拍数に関して、運動の開始を判定するための閾値を設定する場合、高齢者や体重の重い者、医療機関の診断で高血圧な者などの場合は閾値を低く設定する、などの操作が可能である。また、発汗量に関して、運動中に運動レシピ変更の必要の有無を判定するための閾値を設定する場合、過去のライフバロメータの発汗量の実績に対して、湿度が高いので発汗量の閾値は高めに設定する、樹木による日陰の経路であるので発汗量の閾値は低めに設定する、などの操作が可能である。
【００５２】
ステップＳ１０３で、分析部４２は、利用者の運動開始前のライフバロメータが、ステップＳ１０２で設定された閾値を超えていないか否か、すなわち、利用者が運動をできる状態にあるか否かを判定する。運動開始前のライフバロメータが閾値を超えている場合（ＮＯ）、終了とする。閾値を超えていない場合（ＹＥＳ）、ステップＳ１０４に進む。
【００５３】
ステップＳ１０４で、分析部４２は、運動レシピの設定を行う。すなわち、分析部４２は、設定された運動条件が軽い運動程度のランニングを目的とし所望の距離を走行するという場合、前記の閾値、ライフバロメータ情報、個人情報、運動を行う場所の地図情報と気象情報に基づいて、走行するコースと走行速度などを設定することができる。設定された運動レシピは、通信部４１から移動端末２０の通信部２４に送信される。
【００５４】
通信部２４で受信した運動レシピは、表示部２５に表示される。また、通知部２６の発音部２７により音声として通知されてもよい。
【００５５】
ステップＳ１０５で、分析部４２は、ステップＳ１０４で設定された運動レシピが実行されているか否かを判定する。まず、携帯端末２０は、位置情報取得部２２にて、刻々と移動する位置情報を取得する。携帯端末２０は、取得した位置情報を時間情報とともに通信部２４により運動支援手段４０の通信部４１に送信する。通信部４１で受信された位置情報と時間情報とは分析部４２に送られる。分析部４２は、位置情報と時間情報とから、走行速度を求めることができる。あるいはまた、携帯端末２０は、位置情報と時間情報とから走行速度を求め、走行速度を運動支援手段４０に送信してもよい。
【００５６】
分析部４２は、運動レシピの走行速度と実際の走行速度とを比較し、運動レシピの走行速度が守られているか否かを判定する。守られていない場合（ＮＯ）、ステップＳ１０６に進む。守られている場合（ＹＥＳ）、ステップＳ１０７に進む。なお、実測された走行速度に基づいて、運動レシピが守られているか否かの判定を、携帯端末２０が行うようにすることもできる。
【００５７】
走行速度と同様に、走行するコースについても、運動レシピのコースが守られているか否かを判定することができる。すなわち、携帯端末２０の位置情報取得部２２にて取得される位置情報によって、走行しているコースが運動レシピのコースであるか否かを判定することができる。
【００５８】
ステップＳ１０６で、分析部４２は、携帯端末２０に対して、運動レシピが守られていないことを通知する。携帯端末２０は当該通知を受けて、通知部２６により、利用者に対して運動レシピが守られていないことを通知する。すなわち、発音部２７により、アラームなどの音、あるいは、運動レシピが守られていない旨の音声を発する。あるいは、振動部２８により、運動レシピが守られていない旨の振動を発する。
【００５９】
利用者に対する前記の通知は、運動レシピが守られていることが確認されるか、もしくは、利用者が通知を止める操作を実行するまで継続される。すなわち、ステップＳ１０６の通知を継続しつつ、走行速度や走行の位置情報の測定を行い、運動レシピとの比較を繰り返すことができる（ステップＳ１０５の動作）。運動レシピが守られていることが確認されると、通知は中止され、ステップＳ１０７に進む。
【００６０】
上記のような通知部２６による利用者への通知により、利用者は、現在の運動が運動レシピを守っていないことを認識することができる。また、運動レシピが守られるまで通知が継続されることで、利用者は、運動レシピを守るように運動を修正することができる。すなわち、運動レシピが携帯端末に配信された際に、配信された運動レシピが実行されるように支援が行われることによって、配信された運動レシピが実行されずに役に立たなくなるという問題を解決することができる。
【００６１】
ステップＳ１０７で、分析部４２は、運動レシピが完了したか否かを確認する。すなわち、まず、携帯端末２０は、位置情報取得部２２で刻々と移動する位置情報を取得し、位置情報を運動支援手段４０に送信する。運動支援手段４０の分析部４２は、位置情報を受けて運動レシピの走行コースがゴールに達したか否かを判定する。なお、運動レシピが完了したか否かの確認は、携帯端末２０が行うようにすることもできる。運動レシピが完了した場合（ＹＥＳ）、終了する。運動レシピが完了していない場合（ＮＯ）、ステップＳ１０８に進む。
【００６２】
また、ステップＳ１０５がなかなかＹＥＳにならない場合、ステップＳ１０６が開始されて所定の時間が経過した後、ステップＳ１０８に進むことができるようにすることもできる（図６中に記載なし）。
【００６３】
ステップＳ１０８で、分析部４２は、運動レシピの再設定が必要か否かを判定する。すなわち、まず、移動端末２０は、ライフバロメータ情報取得部２１で、測定手段３０から利用者のライフバロメータ情報を取得し、位置情報取得部２２で位置情報を取得し、これらを運動支援手段４０に送信する。一方、運動支援手段４０は、情報管理手段５０から、刻々と変化する気象情報を入手する。分析部４２はこれらの情報に基づいて、運動レシピの再設定が必要か否かを判定する。
【００６４】
ここで、ステップＳ１０８で分析部４２が行う運動レシピの再設定が必要か否かの判定の例を、図７の例を用いて説明する。図７は、運動支援システム１０が運動レシピを設定する際の一例であり、閾値以下に発汗量を抑える場合を示す例である。
【００６５】
図７で、ランニングのスタート時点では、ゴールでの発汗量が閾値以下となることが予想される破線1の発汗量の走行速度および走行経路で運動レシピを設定した。利用者の発汗量と走行速度との関係は、情報管理手段５０が有する利用者の過去のライフバロメータ情報と地図情報と気象情報とから推定することができる。
【００６６】
Ｘ１地点の手前まででの気象情報から、それ以降での気温上昇が予想された。破線１の発汗量の運動レシピで走行を継続した場合、Ｘ２地点以降では破線２の発汗量が予想され、ゴール手前のＸ３地点で閾値を超えることが予想された。そこで分析部４２は、Ｘ１地点で運動レシピの再設定を行う必要があると判定し（ステップＳ１０８のＹＥＳ）、ステップＳ１０４へ進む。
【００６７】
ステップＳ１０４で分析部４２は、図７に示すように、Ｘ１地点にて、ゴールでの発汗量が閾値以下と予想される破線３の発汗量の走行速度もしくは走行経路に運動レシピの再設定を行う。例えば、走行速度を遅くする、もしくは、日陰の多い走行経路に変更する、などである。
【００６８】
ステップＳ１０８で分析部４２が行う運動レシピの再設定が必要か否かの判定の別の例を、図８の例を用いて説明する。図８は、運動支援システム１０が運動レシピを設定する際の図７とは別の例であり、閾値以下に発汗量を抑える場合を示す例である。
【００６９】
図８で、ランニングのスタート時点では、ゴールでの発汗量が閾値以下となることが予想される破線４の発汗量の走行速度および走行経路で運動レシピを設定した。しかしながら、Ｘ４地点において、利用者の体調不良により発汗量が増加し、破線４の発汗量をもたらす当初の運動レシピで走行した場合、発汗量は破線５のようになり、Ｘ６地点で閾値を超えることが予想された。そこで分析部４２は、Ｘ６地点の手前で運動レシピに再設定を行う必要があると判定し（ステップＳ１０８のＹＥＳ）、ステップＳ１０４へ進む。
【００７０】
ステップＳ１０４で分析部４２は、図８に示すように、Ｘ６地点の手前のＸ５地点にて、ゴールでの発汗量が閾値以下と予想される破線６の発汗量の走行速度もしくは走行経路に運動レシピの再設定を行う。例えば、走行速度を遅くする、もしくは、高低差の少ない走行経路に変更する、などである。
【００７１】
また、利用者の体調の急変などで、突然にライフバロメータの閾値を超えるライフバロメータの測定値が得られた場合も、ステップＳ１０８により、運動レシピの再設定が必要と判定され、ステップＳ１０４にて、運動レシピの再設定が行われる。この時に再設定される運動レシピは運動を中止する、いわゆるドクターストップの内容となる。以降は、前述のステップＳ１０５以降の動作に従う。
【００７２】
ステップＳ１０８で、分析部４２が再設定の必要がないと判定した場合（ＮＯ）、ステップＳ１０５に進み、前述のステップＳ１０５以降の動作に従う。
【００７３】
ステップＳ１０７で運動レシピが終了した場合（ＹＥＳ）、図５の一連の動作で分析部４２に提供された運動レシピやライフバロメータ情報や位置情報は、情報管理手段５０のライフバロメータ情報管理部５１に送信され、保存、管理されることができる。
【００７４】
本実施形態では運動の例としてランニングを例として説明を行ったが、運動としてはランニングに限定されることなく、ウォーキング、サイクリング、登山、ダンス、水泳など、他の運動への適用が可能である。
【００７５】
本実施形態によれば、リアルタイムに情報を評価して運動レシピを更新し、更新された運動レシピを携帯端末に配信する。そして、配信された運動レシピに従って運動がなされているか否かを判定し、なされていない場合は利用者に通知をする。以上により、利用者に適した運動レシピを提供するとともに、利用者に、提供された運動レシピに従った運動を行わせる運動支援システムおよび運動支援方法が実現する。
【００７６】
本発明は上記実施形態に限定されることなく、特許請求の範囲に記載した発明の範囲内で、種々の変形が可能であり、それらも本発明の範囲内に含まれるものであることはいうまでもない。
【００７７】
また、上記の実施形態の一部又は全部は、以下の付記のようにも記載されうるが、以下には限られない。
【００７８】
付記
（付記１）
利用者が携帯し、前記利用者のライフバロメータと前記利用者の位置情報とを取得する携帯端末と、
前記利用者に装着され、前記ライフバロメータを測定し、前記ライフバロメータを前記携帯端末に提供する測定手段と、
所望の情報を管理する情報管理手段と、
前記携帯端末から前記ライフバロメータと前記位置情報を取得し、前記情報管理手段から前記所望の情報を取得し、前記ライフバロメータと前記位置情報と前記所望の情報とに基づいて運動レシピを設定し、前記運動レシピを前記携帯端末に配信する運動支援手段と、を備え、
前記携帯端末もしくは前記運動支援手段は、前記利用者が前記運動レシピに適合した運動を行っているか否かを判定し、
前記適合した運動ではない場合、前記携帯端末は、前記利用者に通知を行う、
運動支援システム。
（付記２）
前記通知は、音もしくは振動により行われる、付記１記載の運動支援システム。
（付記３）
前記所望の情報は、前記利用者の過去のライフバロメータもしくは地図情報もしくは気象情報を有する、付記１または２記載の運動支援システム。
（付記４）
前記地図情報もしくは前記気象情報は、前記位置情報に基づく、付記３記載の運動支援システム。
（付記５）
前記運動支援手段は、前記ライフバロメータもしくは前記地図情報もしくは前記気象情報に基づいて、前記ライブバロメータの閾値を設定し、前記閾値に基づいて前記運動レシピを設定する、付記３または４記載の運動支援システム。
（付記６）
前記運動支援手段は、運動中の前記利用者の前記ライフバロメータに基づいて、前記運動中に前記運動レシピを更新する、付記１から５の内の１項記載の運動支援システム。
（付記７）
前記携帯端末は、前記運動レシピを表示する、付記１から６の内の１項記載の運動支援システム。
（付記８）
前記測定手段は、前記利用者の少なくとも一箇所に装着される、付記１から７の内の１項記載の運動支援システム。
（付記９）
前記測定手段は、前記ライフバロメータを無線もしくは有線により前記携帯端末に提供する、付記１から８の内の１項記載の運動支援システム。
（付記１０）
利用者のライフバロメータと、前記利用者の位置情報と、前記位置情報に基づく地図情報と気象情報と、に基づいて運動レシピを設定し、
前記利用者が前記レシピに適合した運動を行っているか否かを判定し、
前記適合した運動ではない場合、前記利用者に通知を行う、運動支援方法。
（付記１１）
前記通知は、音もしくは振動により行われる、付記１０記載の運動支援方法。
（付記１２）
前記運動レシピは、前記ライフバロメータもしくは前記地図情報もしくは前記気象情報に基づいて設定された前記ライブバロメータの閾値に基づいて設定される、付記１０または１１記載の運動支援方法。
（付記１３）
前記運動レシピは、運動中の前記利用者の前記ライフバロメータに基づいて、前記運動中に更新される、付記１０から１２の内の１項記載の運動支援方法。
【符号の説明】
【００７９】
１、１０    運動支援システム
２、２０    移動端末
２１    ライフバロメータ情報取得部
２２    位置情報取得部
２３    条件設定部
２４    通信部
２５    表示部
２６    通知部
２７    発音部
２８    振動部
２９    制御部
３、３０    測定手段
３１    心拍センサ
３２    発汗センサ
３３    血圧センサ
３４    体温センサ
３５    呼吸センサ
３６    通信部
３７    制御部
４、４０    運動支援手段
４１    通信部
４２    分析部
４３    制御部
５、５０    情報管理手段
５１    ライフバロメータ情報管理部
５２    地図情報管理部
５３    気象情報管理部
５４    気象情報取得部
５５    制御部
５４１    気象センサ
５４２    温度センサ
５４３    湿度センサ
５４４    ＵＶセンサ
５４５    降水センサ
５４６    風センサ
５４７    通信部
５４８    気象サイト情報取得部
【図１】
2015123156.tif 000003
【図２】
2015123156.tif 000004
【図３】
2015123156.tif 000005
【図４】
2015123156.tif 000006
【図５】
2015123156.tif 000007
【図６】
2015123156.tif 000008
【図７】
2015123156.tif 000009
【図８】
2015123156.tif 000010